【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
ハウジングと、
中央押出チャネルと、
共押出チャネルと、
回転可能なコンバイン翼板と、
回転可能なプロファイルアクチュエータと、
前記回転可能なプロファイルアクチュエータ上に取り外し可能に取り付けられたプロファイルバーと、
を備え、
前記プロファイルバーと前記回転可能なプロファイルアクチュエータとは共に移動するようになっており、
前記プロファイルバーは、プロファイリングフェースを規定しており、
前記中央押出チャネルと前記共押出チャネルとが、前記ハウジングを貫通しており、
前記回転可能なコンバイン翼板と前記回転可能なプロファイルアクチュエータとが、前記共押出チャネルの反対側に位置決めされていて、互いに向き合っており、
前記回転可能なプロファイルアクチュエータは、（ａ）その第１方向の回転が、前記プロファイリングフェースを前記共押出チャネル内のある位置へと移動させることによって、前記プロファイルバーが前記共押出チャネルを通るポリマーに与えるプロファイリング影響を、増大し、（ｂ）その第２方向の回転が、前記プロファイリングフェースを前記共押出チャネル内の別のある位置へと移動させることによって、前記プロファイルバーが前記共押出チャネルを通るポリマーに与えるプロファイリング影響を、減少させる、というように構成されている
ことを特徴とする共押出フィードブロック装置。
【請求項２】
前記プロファイリングフェースは、１または複数の隆起領域を有し、前記共押出チャネルの全幅に沿って延在するサイズである
ことを特徴とする請求項１に記載の共押出フィードブロック装置。
【請求項３】
前記回転可能なプロファイルアクチュエータは、１、５インチ以上の直径を有するロッドを有している
ことを特徴とする請求項１に記載の共押出フィードブロック装置。
【請求項４】
前記回転可能なプロファイルアクチュエータは、前記プロファイルバーが取り外し可能に取り付けられる軸方向溝を有するロッドを有している
ことを特徴とする請求項１に記載の共押出フィードブロック装置。
【請求項５】
インサートアセンブリを更に備え、
前記インサートアセンブリは、分配インサートブロックを有し、
前記ハウジングは、前記分配インサートブロックが取り外し可能に取り付けられる取り付け開口を更に有し、
前記回転可能なプロファイルアクチュエータは、前記分配インサートブロックに取り付けられ、当該分配インサートブロックと共に前記取り付け開口から取り外し可能となっており、
前記インサートアセンブリは、前記取り付け開口に取り外し可能に取り付けられる共押出インサートブロックを更に有し、
前記回転可能なコンバイン翼板は、前記共押出インサートブロックに取り付けられ、当該共押出インサートブロックと共に前記取り付け開口から取り外し可能となっており、
前記分配インサートブロックと前記共押出インサートブロックとは、前記取り付け開口内に並んで取り付けられる
ことを特徴とする請求項１に記載の共押出フィードブロック装置。
【請求項６】
前記ハウジングの外部にあるアクチュエータを更に備え、
前記外部アクチュエータは、前記回転可能なプロファイルアクチュエータと結合されており、
前記回転可能なプロファイルアクチュエータは、前記外部アクチュエータの起動に応じて、第１姿勢及び第２姿勢との間で回転するようになっている
ことを特徴とする請求項１に記載の共押出フィードブロック装置。
【請求項７】
前記アクチュエータは、前記回転可能なプロファイルアクチュエータに取り付けられた制御シャフトを有し、
前記回転可能なプロファイルアクチュエータは、前記制御シャフトの回転に応じて回転し、
前記制御シャフトは、前記ハウジングの外部にある一端を有する
ことを特徴とする請求項１に記載の共押出フィードブロック装置。
【請求項８】
前記回転可能なコンバイン翼版は、略対向する第１及び第２流れ接触面を有し、
前記第１流れ接触面は、前記中央押出チャネルに曝されており、
前記第２流れ接触面は、前記共押出チャネルに曝されている
ことを特徴とする請求項１に記載の共押出フィードブロック装置。
【請求項９】
前記回転可能なコンバイン翼板の前記第１流れ接触面は、第１輪郭を有する第１プロファイルドフェースを有しており、
前記回転可能なコンバイン翼板の前記第２流れ接触面は、第２輪郭を有する第２プロファイルドフェースを有しており、
前記第１輪郭は、前記第２輪郭とは異なっている
ことを特徴とする請求項８に記載の共押出フィードブロック装置。
【請求項１０】
前記回転可能なコンバイン翼板の前記第１流れ接触面は、複数のチャネルと畝部とを有しており、
前記回転可能なコンバイン翼板の前記第２流れ接触面も、複数のチャネルと畝部とを有している
ことを特徴とする請求項８に記載の共押出フィードブロック装置。
【請求項１１】
第２の共押出チャネルと、
第２の回転可能なコンバイン翼板と、
第２の回転可能なプロファイルアクチュエータと、
当該第２の回転可能なプロファイルアクチュエータに取り外し可能に取り付けられた第２のプロファイルバーと、
を更に備え、
前記第２の回転可能なコンバイン翼板と前記第２の回転可能なプロファイルアクチュエータとが、前記第２の共押出チャネルの反対側に位置決めされていて、互いに向き合っている
ことを特徴とする請求項１に記載の共押出フィードブロック装置。
【請求項１２】
前記中央押出チャネルを通るポリマーをプロファイリングするように位置決めされた押出プロファイル調和部材を更に備え、
前記回転可能なコンバイン翼板は、前記押出プロファイル調和部材の下流にあり、
前記押出プロファイル調和部材は、前記中央押出チャネルを通るポリマーに様々な輪郭を提供するように曲がり変形可能なリストリクタバーを有している
ことを特徴とする請求項１に記載の共押出フィードブロック装置。
【請求項１３】
前記リストリクタバーに沿って間隔を空けた場所で当該リストリクタバーに取り付けられた一連の調整アセンブリを更に備え、
前記リストリクタバーは、前記調整アセンブリの１または２以上を起動することに応じて、局所的に曲がるようになっており、
前記調整アセンブリの各々が、一端で前記リストリクタバーに固定された調整シャフトを有しており、
（ｉ）前記リストリクタバーが、前記調整シャフトの軸方向の一方向の動きに応じて第１方向に曲がり、また、
（ｉｉ）前記リストリクタバーが、前記調整シャフトの軸方向の他方向の動きに応じて第２方向に曲がる
ことを特徴とする請求項１２に記載の共押出フィードブロック装置。
【請求項１４】
第２の押出プロファイル調和部材を更に備え、
前記第２の押出プロファイル調和部材は、前記中央押出チャネルを通るポリマーに様々な輪郭を提供するべく曲がり変形可能なリストリクタバーを有し、
前記２つのリストリクタバーは、互いに向き合っており、
前記中央押出チャネルは、前記２つのリストリクタバーの間を通過しており、
前記２つのリストリクタバーは、前記中央押出チャネルを通るポリマーを同時に輪郭付けするように位置決めされている
ことを特徴とする請求項１２に記載の共押出フィードブロック装置。
【請求項１５】
前記中央押出チャネルは、６インチより大きい幅を有している
ことを特徴とする請求項１に記載の共押出フィードブロック装置。
【請求項１６】
前記回転可能なプロファイルアクチュエータ上に取り外し可能に取り付けられた第２プロファイルバーを更に備え、
前記２つのプロファイルバーは、異なる輪郭の２つのそれぞれのプロファイリングフェースを有しており、前記回転可能なプロファイルアクチュエータの周縁で互いから間隔を空けており、
前記２つのプロファイルバーのいずれか一方が、前記回転可能なプロファイルアクチュエータを所望の第１姿勢または第２姿勢に回転することで、前記共押出チャネルを通るポリマー流を輪郭付けするために位置決めされる
ことを特徴とする請求項１に記載の共押出フィードブロック装置。
【請求項１７】
前記プロファイルアクチュエータは、隣接する共押出チャネルの全幅に広がっている
ことを特徴とする請求項１に記載の共押出フィードブロック装置。